【手続補正書】
【提出日】平成20年8月18日(2008.8.18)
【手続補正１】
【補正対象書類名】明細書
【補正対象項目名】発明の名称
【補正方法】変更
【補正の内容】
【発明の名称】文字処理装置の制御方法および文字処理装置
【手続補正２】
【補正対象書類名】明細書
【補正対象項目名】特許請求の範囲
【補正方法】変更
【補正の内容】
【特許請求の範囲】
【請求項１】  濁音符または半濁音符を付与することにより濁音文字または半濁音文字となる１文字分の被濁音文字を仮名入力した後、
前記被濁音文字の次に前記濁音符または前記半濁音符を１文字分として入力して、濁音文字または半濁音文字を未確定状態とし、
この未確定状態から確定状態になる確定操作が行われたときに、前記濁音文字または前記半濁音文字を１文字分として確定するようにした文字処理装置の制御方法であって、
前記確定操作が行われた後に当該確定操作を取り消す取消操作が行われたときに、前記未確定状態に戻すことを特徴とする文字処理装置の制御方法。
【請求項２】  実行の可否を指示する確認操作を前提として、前記未確定状態から文書全体を消去する全文消去処理が可能であり、
前記取消操作には、不実行を指示する前記確認操作が含まれることを特徴とする請求項１に記載の文字処理装置の制御方法。
【請求項３】  前記確定操作には、未確定状態において、前記濁音符または前記半濁音符の次に文字を入力する操作が含まれることを特徴とする請求項１または２に記載の文字処理装置の制御方法。
【請求項４】  濁音符または半濁音符を付与することにより濁音文字または半濁音文字となり得る被濁音文字を仮名入力するための被濁音文字入力手段と、
前記被濁音文字の次に前記濁音符または前記半濁音符を１文字分として入力して、濁音文字または半濁音文字を未確定状態とするための濁音記号入力手段と、
この未確定状態から確定状態になる確定操作が行われたときに、前記濁音文字または前記半濁音文字を１文字分として確定する濁音確定手段と、
前記確定操作が行われた後に当該確定操作を取り消す取消操作が行われたときに、前記未確定状態に戻す確定取消手段と、を備えたことを特徴とする文字処理装置。
【請求項５】  実行の可否を指示する確認操作を前提として、前記未確定状態から文書全体を消去する全文消去処理を可能にする全文消去手段を、さらに備え、
前記取消操作には、不実行を指示する前記確認操作が含まれることを特徴とする請求項４に記載の文字処理装置。
【請求項６】  前記確定操作には、未確定状態において、前記濁音符または前記半濁音符の次に文字を入力する操作が含まれることを特徴とする請求項４または５に記載の文字処理装置。
【請求項７】  印刷画像として印刷対象物に印刷する印刷手段を、更に備え、
前記印刷対象物がテープであることを特徴とする請求項４ないし６のいずれかに記載の文字処理装置。
【手続補正３】
【補正対象書類名】明細書
【補正対象項目名】０００１
【補正方法】変更
【補正の内容】
【０００１】
【発明の属する技術分野】
本発明は、平仮名または片仮名の仮名入力により入力された文字を処理する文字処理装置の制御方法および文字処理装置に関する。
【手続補正４】
【補正対象書類名】明細書
【補正対象項目名】０００４
【補正方法】変更
【補正の内容】
【０００４】
このタイプの場合、例えば図１７に示すように、「カバ」と入力するときには、一旦、「カハ」の２文字分＋「゛」の未確定状態の１文字分の合計３文字分となり（Ｔ１２０）、その後の選択キー３２３の押下により確定される（Ｔ１２１）、あるいは印刷キー３２２の押下により確定状態に移行するとともに印刷画像Ｇ０が（例えばテープに）印刷される。また、このタイプの場合、小型故に比較的表示画面が小さく（図１７の例では３文字分の表示画面）、被濁音文字＋濁音記号の２文字分を早く１文字分にまとめて表示したいこと、さらには早く１文字にまとめることで前者のタイプの操作（処理）に近づけたいこと、などの理由から、後述の操作（濁音記号入力直後の濁音記号の削除の操作）以外の操作が行われた場合、１文字にまとめる処理（１文字として確定させる：確定処理）を行う。例えば図１６に示すように、「パ」の未確定状態（すなわち「ハ」＋「゜」の未確定状態）から「リ」を入力する（入れる）だけで、「パ」の確定処理を同時に行うので、一旦、確定させる操作を行うことなく、「パリ」と入力できる。
【手続補正５】
【補正対象書類名】明細書
【補正対象項目名】０００７
【補正方法】変更
【補正の内容】
【０００７】
しかしながら、図１５の例の場合、例えば図１４で前述の「バ」を「パ」に変える例と同様に、そもそも「バ」の未確定状態（すなわち「ハ」＋「゛」の未確定状態）から被濁音文字「ハ」の単独の状態に戻そうとして削除キー３２４を操作したのであるから、その目的を達成するためには、さらに「バ」を削除し（Ｔ１０５）、「ハ」を入力し（Ｔ１０６）、「゜」を入力する必要がある（Ｔ１０１）。また、図１６（ａ）の「パリ」を図１６（ｂ）のように誤って「バリ」と入力してしまったときも、同様となる（Ｔ１１３（図１５のＴ１０４と同じ）＋Ｔ１０５〜Ｔ１０７参照）。また、図１８に示すように、「コンパ」を誤って「コンバ」と入力し（Ｔ１３０）、それに気づかずに選択キー３２３を押下して（あるいは印刷キー３２２の押下により図１８（ｂ）のように印刷画像Ｇ１を印刷して）、確定させてしまった場合（Ｔ１３１）も、同様の操作が必要になる（Ｔ１３２〜Ｔ１３５）。すなわち、後者のタイプの利点（被濁音文字と濁音記号とを個別に２文字分として扱うため、濁音文字と半濁音文字との交換が容易になるという利点）を、上述の各例では生かすことができず、濁音記号を間違って入力した場合などの誤操作による誤処理を容易に修正できない。
【手続補正６】
【補正対象書類名】明細書
【補正対象項目名】０００８
【補正方法】変更
【補正の内容】
【０００８】
本発明は、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作による誤処理を容易に修正でき、編集効率を向上できる文字処理装置の制御方法および文字処理装置を提供することを目的とする。
【手続補正７】
【補正対象書類名】明細書
【補正対象項目名】０００９
【補正方法】変更
【補正の内容】
【０００９】
本発明の文字処理装置の制御方法は、濁音符または半濁音符を付与することにより濁音文字または半濁音文字となる１文字分の被濁音文字を仮名入力した後、被濁音文字の次に濁音符または半濁音符を１文字分として入力して、濁音文字または半濁音文字を未確定状態とし、この未確定状態から確定状態になる確定操作が行われたときに、濁音文字または半濁音文字を１文字分として確定するようにした文字処理装置の制御方法であって、確定操作が行われた後に確定操作を取り消す取消操作が行われたときに、未確定状態に戻すことを特徴とする。
【手続補正８】
【補正対象書類名】明細書
【補正対象項目名】００１０
【補正方法】変更
【補正の内容】
【００１０】
本発明の文字処理装置は、濁音符または半濁音符を付与することにより濁音文字または半濁音文字となり得る被濁音文字を仮名入力するための被濁音文字入力手段と、被濁音文字の次に濁音符または半濁音符を１文字分として入力して、濁音文字または半濁音文字を未確定状態とするための濁音記号入力手段と、この未確定状態から確定状態になる確定操作が行われたときに、濁音文字または半濁音文字を１文字分として確定する濁音確定手段と、確定操作が行われた後に確定操作を取り消す取消操作が行われたときに、未確定状態に戻す確定取消手段と、を備えたことを特徴とする。
【手続補正９】
【補正対象書類名】明細書
【補正対象項目名】００１１
【補正方法】変更
【補正の内容】
【００１１】
これらの構成によれば、基本的には、１文字分の被濁音文字を仮名入力し、その直後に、濁音符または半濁音符を表現する１文字分の濁音記号を（未確定）入力し、確定操作が行われたときに、未確定状態から確定状態に移行させる。すなわち、被濁音文字およびその直後の濁音記号の合計２文字分の代わりに、１文字分の濁音文字または半濁音文字として確定する。この場合、確定操作が行われた後に確定操作を取り消す取消操作が行われたときに、未確定状態に戻すようにする。これにより、その時点の状態からやり直しやすくなり、誤操作した場合等のやり直し（処理修正）が煩雑になるのを防止でき、濁音文字や半濁音文字に対する誤操作による誤処理を容易に修正でき、編集効率を向上できる。
【手続補正１０】
【補正対象書類名】明細書
【補正対象項目名】００１２
【補正方法】変更
【補正の内容】
【００１２】
また、上記の制御方法において、実行の可否を指示する確認操作を前提として、未確定状態から文書全体を消去する全文消去処理が可能であり、取消操作には、不実行を指示する確認操作が含まれることが好ましい。
【手続補正１１】
【補正対象書類名】明細書
【補正対象項目名】００１３
【補正方法】変更
【補正の内容】
【００１３】
また、上記の文字処理装置において、実行の可否を指示する確認操作を前提として、未確定状態から文書全体を消去する全文消去処理を可能にする全文消去手段を、さらに備え、取消操作には、不実行を指示する確認操作が含まれることが好ましい。
【手続補正１２】
【補正対象書類名】明細書
【補正対象項目名】００１４
【補正方法】変更
【補正の内容】
【００１４】
これらの構成によれば、全文消去処理の実行可否の確認に対してその不実行を指示することにより、全文消去操作の全文消去処理をキャンセルでき、これにより、濁音符または半濁音符の入力を未確定状態にする（未確定状態に戻す）。すなわち、誤操作等に全文消去処理を指示してしまった場合に、それをキャンセルできるばかりでなく、濁音文字や半濁音文字の入力状態も元に戻せるので、その時点からのやり直し（修正処理）がしやすくなり、編集効率を向上できる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
また、上記の制御方法において、確定操作には、未確定状態において、濁音符または半濁音符の次に文字を入力する操作が含まれることが好ましい。
【手続補正２３】
【補正対象書類名】明細書
【補正対象項目名】００２５
【補正方法】変更
【補正の内容】
【００２５】
また、上記の文字処理装置において、確定操作には、未確定状態において、濁音符または半濁音符の次に文字を入力する操作が含まれることが好ましい。
【手続補正２４】
【補正対象書類名】明細書
【補正対象項目名】００２６
【補正方法】変更
【補正の内容】
【００２６】
これらの構成によれば、被濁音文字およびその直後の濁音記号の合計２文字分に後続する文字の入力操作が可能であり、後続文字の入力を取り消す操作を行った場合、後続文字を入力した時点で濁音文字や半濁音文字が確定状態となっていても未確定状態に戻せるので、その状態から容易に修正できる。
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】変更
【補正の内容】
【００３３】
また、上記の文字処理装置において、印刷画像として印刷対象物に印刷する印刷手段を、更に備え、印刷対象物がテープであることが好ましい。
【手続補正３１】
【補正対象書類名】明細書
【補正対象項目名】００５５
【補正方法】変更
【補正の内容】
【００５５】
印刷実行が指令されると、テープＴおよびインクリボンＲが同時に送られ、印刷ヘッド７が適宜発熱駆動することにより、インクリボンＲのインクが熱転写してテープＴに印刷が行われる。印刷後のインクリボンＲは、テープカートリッジ４内で巻き取られるが、印刷後のテープＴは、テープ排出口２５（排出位置２５ａ）から送り出されてゆく。テープＴの送り停止を待って、ユーザにより手動操作レバー２１のレバー操作が為されると、スライド移動したテープ押え部材４１がテープＴを挟み込んで押えた後、スライド移動してきたカッタ２６により、テープＴの印刷済み部分が切り落とされる。
【手続補正３２】
【補正対象書類名】明細書
【補正対象項目名】００５６
【補正方法】変更
【補正の内容】
【００５６】
前述のように、本実施形態のテープ印刷装置１は、携帯型のテープ印刷装置であり、ディスプレイ４は、ごく小さな表示画面（具体的には３文字分のみを表示可能な表示画面）しか有しない。そこで、まず、表示および編集の対象となるテキストデータ（のフォーマット：いわゆるデータ構造）は、初期状態では、図５（ａ）に示すようになっていて、ディスプレイ４では、それに対応して、図５（ｂ）に示すように表示される（画面Ｔ００：以下、ディスプレイ４の表示画面の表示状態を画面Ｔ××で表現し、参照番号としてはＴ××のみで示す。また、カーソル位置はカーソルＫで図示する。ただし、本実施形態のカーソルＫは表示画面内の２文字目の右側に固定表示され、編集対象の文字等が相対的に移動することにより、カーソルとしての役目を果たす）。図５（ａ）のＩｎｄｅｘ＝０（以下、Ｉｎ［０］のように示す）の値は、暫定設定値であり（以下、Ｉｎ［０］＝「暫定設定値」のように示す）、同様に、Ｉｎ［１］＝「書式」、Ｉｎ［２］＝「スタイル」、Ｉｎ［３］＝「第１行頭」を示し、これらはいずれも２バイト（１６ビット）の数値で表現されている。
【手続補正３３】
【補正対象書類名】明細書
【補正対象項目名】００５９
【補正方法】変更
【補正の内容】
【００５９】
テープ印刷装置１では、この状態（Ｔ１０）からユーザにより例えば文字列「あいうえお」が順次入力されると、それらのテキストデータは、図５（ｃ）の（データ構造の）ように格納され、図５（ｄ）のように表示される（Ｔ０８）。また、ユーザは、この状態（Ｔ０８）からカーソル「←」キー３３０Ｌ（３３０ＵＬ）を操作することにより、「あいうえお」の「い」と「う」の間（すなわち「い」の右側）にカーソルＫを（相対的に）移動させ、改行のために選択キー３２３を押すことにより、それ以降の文字列「うえお」を第２行とすることができる。この場合、データとしては、図５（ｅ）のように、Ｉｎ［６］＝「第２行頭」が挿入され、ディスプレイ４（の表示画面）には、図５（ｆ）のように、第２行の行頭を示す第２行マークＨ２が挿入される（Ｔ０９）。
【手続補正３４】
【補正対象書類名】明細書
【補正対象項目名】００６０
【補正方法】変更
【補正の内容】
【００６０】
この状態（Ｔ０９）は、図６（ａ）の画面Ｔ９２の状態と同じであり、図６に示すように、ユーザが、カーソルキー３３０ＵＬを押す度に図示上方の状態へ状態遷移し、カーソル「→」キー３３０Ｒ（３３０ＤＲ）を押す度に図示下方の状態へ状態遷移する（Ｔ９０〜Ｔ９５）。また、これらの状態で、印刷キーが押されると、図６（ｂ）のように、第１行が「あい」、第２行が「うえお」の２行構成の文書を印刷するので、ユーザは、印刷後に手動操作レバー２１を操作して、図示の印刷画像Ｇ９のラベルを作成できる。
【手続補正３５】
【補正対象書類名】明細書
【補正対象項目名】００６４
【補正方法】変更
【補正の内容】
【００６４】
一方、テープ印刷装置１では、直前の操作（による各種指示や各種処理）を取り消す（キャンセルする）ための取消キー３２６を有しているので、上記の状態（Ｔ１１）から、取消キー３２６の押下により削除操作による作用（１文字削除の処理）をキャンセルして、元の状態、すなわち「バ」の未確定状態（「ハ」＋「゛」の未確定状態）に戻すことができる（Ｔ１３：Ｔ１０と同じ）。以下、この例のように、直前の状態に戻す操作を、図７（ｂ）（の取消キー３２６による図示上方向きの操作）のように図示する。
【手続補正３６】
【補正対象書類名】明細書
【補正対象項目名】００６８
【補正方法】変更
【補正の内容】
【００６８】
次に、図１６の従来の例に対応して、図９に示すように、図９（ａ）のように「パリ」と入力したかった場合に（Ｔ３０〜Ｔ３１）、図９（ｂ）のように誤って「バリ」と入力してしまったときには（Ｔ４０〜Ｔ４１）、「リ」を入力した時点で「バ」が確定されている。ただし、本実施形態の文字処理方法では、この状態から（Ｔ４１）、「リ」の入力を取り消す（キャンセルする）ことにより、元の状態（「バ」の未確定状態：「ハ」＋「゛」の未確定状態）に戻すことができる（Ｔ４２：Ｔ４０と同じ）。
【手続補正３７】
【補正対象書類名】明細書
【補正対象項目名】００７０
【補正方法】変更
【補正の内容】
【００７０】
次に、図１７の従来の例に対応して、図１１に示すように、図１１（ｂ）のように「カバ」と入力するときには、一旦、図１１（ａ）のように「カハ」の２文字分＋「゛」の未確定状態の１文字分の合計３文字分となり（Ｔ５０）、その後の選択キー３２３の押下により（あるいは印刷キー３２２の押下により印刷画像Ｇ０を例えばテープに印刷して）、「カバ」と確定される（Ｔ５１）。ただし、本実施形態の文字処理方法では、この状態から（Ｔ５１）、「バ」の確定を取り消す（キャンセルする）ことにより、元の状態（「バ」の未確定状態：「ハ」＋「゛」の未確定状態）に戻すことができる（Ｔ５２：Ｔ５０と同じ）。
【手続補正３８】
【補正対象書類名】明細書
【補正対象項目名】００８０
【補正方法】変更
【補正の内容】
【００８０】
【発明の効果】
上述のように、本発明の文字処理装置の制御方法および文字処理装置によれば、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作等による誤処理を容易に修正でき、編集効率を向上できる、などの効果がある。